(57)【要約】【課題】発泡断熱材料がより均一に充填された断熱層を有し、外観の品質低下が抑制された断熱性扉を提供する。【解決手段】冷蔵庫１の冷蔵室扉（断熱性扉）１１は、正面部材（前面側部材）２１と、正面部材２１と対向配置されたドアバック（背面側部材）２２とを備えている。正面部材２１とドアバック２２との間には、発泡断熱材を有する断熱層２３が設けられている。また、正面部材２１の裏面には、網状シート（網目状シート部材）２４が配置されている。【選択図】図２
2020060305.tif 000002
【特許請求の範囲】
【請求項１】
前面側部材と、
前記前面側部材と対向配置された背面側部材と、
前記前面側部材と前記背面側部材との間に位置し、発泡断熱材を有する断熱層と、
前記前面側部材の裏面に配置されている網目状シート部材と
を備えている断熱性扉。
【請求項２】
前記網目状シート部材は、前記発泡断熱材に対して非接着性を有している、
請求項１に記載の断熱性扉。
【請求項３】
前記断熱層は、前記前面側部材の長手方向に沿って移動する注入ヘッドから発泡断熱材料を滴下することによって形成されるものであり、
前記網目状シート部材は、前記前面側部材の長手方向の方が前記長手方向に直交する方向よりも短い網目形状を有している、請求項１または２に記載の断熱性扉。
【請求項４】
前記網目状シート部材は、前記注入ヘッドから滴下される前記発泡断熱材料の滴下の開始位置およびその外側を含む領域、並びに滴下の終了位置およびその外側を含む領域に少なくとも配置されている、請求項３に記載の断熱性扉。
【請求項５】
前記網目状シート部材は、前記前面側部材の角部分に向かって延びる網目形状を有している、請求項１から４の何れか１項に記載の断熱性扉。
【請求項６】
請求項１から５の何れか１項に記載の断熱性扉を備えている冷蔵庫。
【発明の詳細な説明】
【技術分野】
【０００１】
本発明は、断熱性扉に関する。また、本発明は、この断熱性扉を備えている冷蔵庫に関する。
【背景技術】
【０００２】
一般に、冷蔵庫には、周囲との断熱を行うために、貯蔵空間の外周を覆うように断熱箱体が設けられている。また、冷蔵庫の扉も、断熱性を有している。
【０００３】
このような断熱性を有する扉の内部には、断熱層が形成されている。断熱層は、冷蔵庫内の断熱性能を維持するために、発泡ポリウレタン（硬質ウレタンフォームともいう）などの発泡断熱材で形成されている。すなわち、断熱性扉は、主として、扉の外形を構成する外板（前面側部材ともいう）と、内板（背面側部材ともいう）と、これらの間に存在する上述の断熱層とで構成されている。
【０００４】
このような構成を有する断熱性扉を製造する際には、例えば、特許文献１に開示されているようなオープン注入方式で発泡断熱材料が注入される。オープン注入方式とは、下表面板（前面側部材ともいう）と外周枠とで形成される空間内に発泡断熱材料（樹脂液）を注入する際に、上表面板（背面側部材ともいう）を開いて上部を開放して置き、該開放空間に樹脂液を注入する方式のことである。このオープン注入方式を採用することで、上表面板に注入孔を設ける必要がなく、また、注入ヘッドを移動させながら注入できる。そのため、短時間で空間周辺に隈なく均一に樹脂液を注入することができ、均質な断熱層を有する断熱性扉を製造することが可能となる。
【先行技術文献】
【特許文献】
【０００５】
【特許文献１】特開平１０−８６１６０号公報
【発明の概要】
【発明が解決しようとする課題】
【０００６】
ところで、発泡断熱材料が滴下される下表面板の裏面には、生産上の都合で表面に保護層が形成されていることがある。この保護層と発泡断熱材料との相性、並びに表面に形成されている保護層の膜厚や下表面板の裏面の平坦性のバラツキなどの影響によって、滴下された発泡断熱材料が均一に拡がらない可能性がある。滴下された発泡断熱材料が下表面板の裏面において均一に拡がらないと、断熱材料が発泡して扉内に充填される際に充填ムラが生じ得る。下表面板のコーナー部などで発泡断熱材料が充填できない箇所があると、そこに空洞が生じて断熱性扉の表面に凹凸を発生させる要因となる。これにより、扉の外観の品質が低下する可能性がある。
【０００７】
そこで、本発明の一局面では、発泡断熱材料がより均一に充填された断熱層を有し、外観の品質低下が抑制された断熱性扉を提供する。
【課題を解決するための手段】
【０００８】
本発明の一局面にかかる断熱性扉は、前面側部材と、前記前面側部材と対向配置された背面側部材と、前記前面側部材と前記背面側部材との間に位置し、発泡断熱材を有する断熱層と、前記前面側部材の裏面に配置されている網目状シート部材とを備えている。
【０００９】
上記の本発明の一局面の断熱性扉において、前記網目状シート部材は、前記発泡断熱材に対して非接着性を有していてもよい。
【００１０】
上記の本発明の一局面の断熱性扉において、前記断熱層は、前記前面側部材の長手方向に沿って移動する注入ヘッドから発泡断熱材料を滴下することによって形成されるものであってもよい。このような断熱性扉において、前記網目状シート部材は、前記前面側部材の長手方向の方が前記長手方向に直交する方向よりも短い網目形状を有していてもよい。
【００１１】
上記の本発明の一局面の断熱性扉において、前記網目状シート部材は、前記注入ヘッドから滴下される前記発泡断熱材料の滴下の開始位置およびその外側を含む領域、並びに滴下の終了位置およびその外側を含む領域に少なくとも配置されていてもよい。
【００１２】
上記の本発明の一局面の断熱性扉において、前記網目状シート部材は、前記前面側部材の角部分に向かって延びる網目形状を有していてもよい。
【００１３】
本発明のもう一つの局面は、断熱性扉を備えている冷蔵庫に関する。ここで、前記断熱性扉は、上述の本発明の一局面にかかる断熱性扉である。
【発明の効果】
【００１４】
本発明の一局面にかかる断熱性扉では、前面側部材の裏面に網目状シート部材が配置されている。これにより、断熱材料を前面側部材の裏面に滴下したときに断熱材料が均一に拡がるようにすることができる。したがって、断熱材料がより均一に充填された断熱層を有し、外観の品質低下が抑制された断熱性扉が得られる。また、本発明の一局面にかかる冷蔵庫は、このような断熱性扉を備えていることで、良好な外観を有している。
【図面の簡単な説明】
【００１５】
【図１】本発明の一実施形態にかかる冷蔵庫の外観を示す斜視図である。
【図２】図１に示す冷蔵庫に設けられた冷蔵室扉の内部構成を示す断面図である。
【図３】本発明の一実施形態にかかる冷蔵室扉の製造方法の概要を示す模式図である。
【図４】第１の実施形態にかかる冷蔵庫の正面部材の裏面を示す模式図である。
【図５】第２の実施形態にかかる冷蔵庫の正面部材の裏面を示す模式図である。
【図６】図５に示す正面部材上に配置される網状シートの一部を示す模式図である。
【図７】第２の実施形態の変形例にかかる冷蔵庫の正面部材の裏面を示す模式図である。
【図８】第３の実施形態にかかる冷蔵庫の正面部材の裏面を示す模式図である。
【図９】第４の実施形態にかかる冷蔵庫の正面部材の裏面を示す模式図である。
【図１０】第５の実施形態にかかる冷蔵庫の正面部材の裏面を示す模式図である。
【発明を実施するための形態】
【００１６】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１７】
〔第１の実施形態〕
（冷蔵庫の全体構成）
本実施形態では、２つの収納室（冷蔵室２および冷凍室３）を有している冷蔵庫１を例に挙げて説明する。図１には、本実施形態にかかる冷蔵庫１の外観を示す。図１では、冷蔵庫１の各扉を開けた状態の外観を示す。冷蔵庫１は、主として、本体部１０と、冷蔵室扉１１および冷凍室扉１２とで構成されている。冷蔵室扉１１および冷凍室扉１２は、本発明の一例の断熱性扉である。本体部１０は、断熱箱体でその外形が形成されている。
【００１８】
冷蔵庫１の上段には冷蔵室２が配置されている。冷蔵室２の正面の開口部には、冷蔵室扉１１が取り付けられている。冷蔵庫１の下段には冷凍室３が配置されている。冷凍室３の正面の開口部には、冷凍室扉１２が取り付けられている。
【００１９】
なお、冷蔵庫１における各貯蔵室の構成や配置は、上記のものに限定はされない。各貯蔵室の構成および配置は、冷蔵庫の容量、用途などに応じて適宜変更することができる。
【００２０】
本実施形態では、扉が設けられている面を冷蔵庫１の前面（正面）とする。そして、前面を基準にして、冷蔵庫１を通常の状態で設置した場合に存在する位置に基づいて、冷蔵庫１の本体部１０の各面を、上面、側面、背面、及び底面とする。また、冷蔵庫１を正面側から見た状態で、上に位置する側を冷蔵庫１（または冷蔵室扉１１）の上方側と呼び、下に位置する側を冷蔵庫１（または冷蔵室扉１１）の下方側と呼ぶ。また、冷蔵庫１を正面側から見た状態で、左に位置する側を冷蔵庫１（または冷蔵室扉１１）の左側と呼び、右に位置する側を冷蔵庫１（または冷蔵室扉１１）の右側と呼ぶ。
【００２１】
（冷蔵室扉の構成）
続いて、冷蔵室扉１１の内部構成について、図面を参照しながら説明する。図２には、冷蔵室扉１１の断面構成を示す。
【００２２】
冷蔵室扉１１は、主として、正面部材（前面側部材）２１、ドアバック（背面側部材）２２、断熱層２３、および網状シート（網目状シート部材）２４などで構成されている。
【００２３】
正面部材２１は、冷蔵室扉１１の正面側に位置し、冷蔵室扉１１の本体部分の正面を構成する。ドアバック２２は、正面部材２１と対向配置され、冷蔵室扉１１の背面側を構成する。正面部材２１の背面にドアバック２２が取り付けられることによって、冷蔵室扉１１の本体部分の外形が形成される。断熱層２３は、正面部材２１とドアバック２２との間に位置している。
【００２４】
断熱層２３は、例えば、発泡断熱材などで構成される。発泡断熱材には、例えば、発泡ポリウレタン（硬質ウレタンフォームともいう）などが含まれる。発泡断熱材は、液体状の断熱材料４０を正面部材２１の裏面上に滴下し（図３参照）、正面部材２１とドアバック２２との間の空間内で断熱材料４０を発泡させることによって形成される。発泡ポリウレタンの断熱材料は、ポリイソシアネート、ポリオール、発泡剤、および可塑剤などを含んでいる。
【００２５】
なお、断熱層２３には、真空断熱材が含まれていてもよい。真空断熱材は、シート状または板状の断熱材である。真空断熱材は、冷蔵庫において、特に高い断熱性が要求される場所に配置することが望ましい。断熱層２３が真空断熱材を含むことで、冷蔵室扉１１の断熱性能をより高めることができる。
【００２６】
網状シート２４は、正面部材２１とドアバック２２との間に配置されている。具体的には、網状シート２４は、正面部材２１の裏面に配置されている。後述するように、冷蔵室扉１１の製造時に、網状シート２４は正面部材２１の裏面上に配置される。この状態で、正面部材２１上に断熱材料が滴下される。その後、正面部材２１上にドアバック２２が取り付けられ、網状シート２４が配置された状態で正面部材２１とドアバック２２との間の空間に発泡断熱材を含む断熱層２３が形成される。これにより、網状シート２４は、正面部材２１と断熱層２３との間に位置することとなる。
【００２７】
冷凍室扉１２についても、冷蔵室扉１１と同様の内部構成を有している。
【００２８】
（冷蔵室扉の製造方法）
続いて、冷蔵室扉１１の製造方法について説明する。本実施形態にかかる冷蔵室扉１１の製造方法は、断熱材料を正面部材２１の表面（裏面）上に滴下する滴下工程と、断熱材料を滴下後に正面部材２１上にドアバック２２を取り付ける取り付け工程と、正面部材２１とドアバック２２との間の空間内で断熱材料を発泡させる発泡工程とを少なくとも含んでいる。
【００２９】
図３には、本実施形態にかかる冷蔵室扉１１の製造方法において、滴下工程が行われる様子を（１）から（４）の工程順に示す。なお、図３では、従来の製造方法、すなわち、正面部材２１上に網状シート２４が配置されずに滴下工程が行われる様子を比較例として示す。
【００３０】
滴下工程の前段階では、正面部材２１上に網状シート２４が配置される。この状態の正面部材２１を、断熱材料の注入装置５０の下方に設置する。注入装置５０は、下方に向かって延びる注入ヘッド５１を有している。注入ヘッド５１は、一方向に移動しながら（図３に示す例では、矢印で示すように右方向に移動しながら）断熱材料４０を滴下する。この注入ヘッド５１の移動方向は、正面部材２１の長手方向（本実施形態では、冷蔵室扉１１の上下方向）に沿った方向とすることが好ましい。これにより、距離のより長い長手方向に対する断熱材料４０の均一性を確保しやすくなっている。
【００３１】
本実施形態では、正面部材２１上に網状シート２４が配置されていることで、滴下された断熱材料４０は、網状シート２４の網目形状に沿って縦横に拡がる。網状シート２４は、正面部材２１の裏面上に載置され、裏面には接着されていない状態で配置されている。なお、裏面には接着されていない状態とは、網状シート２４の大部分が接着されていなければよく、網状シート２４の一部が正面部材２１の裏面上に仮固定されている状態も含まれる。
【００３２】
これに対して、比較例では、正面部材２１上に網状シート２４が配置されていないため、断熱材料４０は拡がりにくい。
【００３３】
注入ヘッド５１が滴下の終了位置（終点Ｂ）まで到達すると、注入装置５０は、断熱材料４０の滴下を終了し、その後、注入ヘッド５１は正面部材２１上から遠ざかる（図３の（３）および（４）参照）。
【００３４】
滴下工程後の取り付け工程では、正面部材２１に覆い被さるようにドアバック２２が取り付けられる。これにより、内部に空間を有する冷蔵室扉１１の外形が形成される。
【００３５】
発泡工程では、冷蔵室扉１１の内部空間において断熱材料４０が反応し、ガスを発生させる。これにより、冷蔵室扉１１の内部空間に発泡断熱材（具体的には、ポリウレタンフォーム）が形成される。最終的に発泡断熱材は硬化し、硬質の発泡断熱材を有する断熱層２３が得られる。
【００３６】
以上のように、本実施形態では、オープン注入方式を用いて冷蔵室扉１１の内部に断熱材料４０が注入され、断熱層２３が形成される。なお、図３に示す断熱材料の注入装置５０は、一例であり、本実施形態にかかる冷蔵室扉１１の製造方法に用いられる注入装置はこれに限定されない。
【００３７】
本実施形態では、正面部材２１上に網状シート２４を配置した状態で滴下工程が実施されることで、断熱材料４０を水平方向によりスムーズに流動させて、正面部材２１のより広範な領域に断熱材料４０を拡張させることができる。
【００３８】
これに対して、網状シート２４を配置しない従来例であっても、注入ヘッド５１の移動位置や速度、滴下量を制御することで、注入ヘッド５１の移動方向である正面部材２１の長手方向に対しては、断熱材料４０をある程度均一に滴下することができる。その一方で、注入ヘッド５１の移動方向と直交する正面部材２１の短手方向に対しては、注入ヘッド５１の移動による滴下の制御ができないため、断熱材料４０は拡がりにくい。そのため、正面部材２１の左右両側の端部周辺では、断熱材料４０の充填度合いが中央部と比較して低くなり、断熱材料４０の充填度合いの不均一化が起こり得る。このような状態で発泡工程が行われると、断熱材料４０の充填が不十分な箇所では正面部材２１との間に空洞が生じて正面部材２１との接着性が低くなり、冷蔵室扉１１の前面部分に凹凸が発生し、冷蔵庫１の美観が損なわれる。
【００３９】
なお、鋼板などの金属製の板状部材で形成されている正面部材２１の裏面には、傷や化学変化に対する保護層としてコーティング剤が塗布されている場合がある。このコーティング剤と断熱材料との相性や、コーティング剤の膜厚のバラツキなどの影響によって、正面部材２１上に滴下された断熱材料がより拡がりにくくなる可能性がある。例えば、断熱材料４０との接着性が高いコーティング剤が正面部材２１の表面に塗布されていると、正面部材２１と断熱材料（ポリウレタンフォームの材料）との接着力が高まり、断熱材料の流動性がより妨げられる可能性がある。
【００４０】
そこで、本実施形態のように、正面部材２１の裏面に網状シート２４を配置することで、正面部材２１の表面と断熱材料４０との直接的な接触が抑制され、断熱材料４０の流動性を向上させ、正面部材２１上に断熱材料４０を均一に拡張させることができる。なお、網状シート２４は、断熱材料４０および断熱材料４０から形成される発泡断熱材に対して非接着性を有していることが好ましい。これにより、正面部材２１上に断熱材料４０をより均一に拡張させることができる。
【００４１】
また、本実施形態では、網状シート２４は、注入ヘッド５１から滴下される断熱材料４０の滴下の開始位置（図３の（４）の平面図のＡの位置）およびその外側、並びに滴下の終了位置（図３の（４）の平面図のＢの位置）およびその外側を含む領域の全体にわたって配置されている。これにより、断熱材料４０の滴下の始点Ａから終点Ｂまで領域の外側の領域にも、より確実に断熱材料４０を拡張させることができる。
【００４２】
なお、網状シート２４は、例えば、ポリプロピレン（ＰＰ）、ポリエチレン（ＰＥ）、シリコン系樹脂、およびフッ素系樹脂などの樹脂材料で形成されていることが好ましい。これらの樹脂材料は、ポリウレタンに対する非接着性を有している。したがって、断熱層２３がポリウレタンフォームを有している場合に、断熱層形成時の断熱材料４０の流動性および拡張性を高めることができる。
【００４３】
図４には、正面部材２１上に配置される網状シート２４のより具体的な構成を示す。図４では、滴下工程における注入ヘッド５１の移動方向を矢印で示している。また、図４では、網状シート２４の網目形状を拡大して示す。
【００４４】
図４に示すように、網状シート２４は、縦横に延びる複数の繊維状体で形成されている。網状シート２４は、長方形の開口を有する格子状の網目形状を有している。ここで、網状シート２４の網目形状は、注入ヘッド５１の移動方向の方が該移動方向に直交する方向よりも短い長方形状となっている。すなわち、網状シート２４の長方形状の開口部において、注入ヘッド５１の移動方向の長さＬ１は、該移動方向に直交する方向の長さＬ２よりも小さい。
【００４５】
網目の長さが長い、すなわち、網目が粗ければ、液状の断熱材料４０は網の上を流動しやすい。しかしその一方で、網目が粗いと、網目の間から液状の断熱材料４０が正面部材２１の表面に落ちやすくもなる。網目の長さが短ければ、これとは逆に、液状の断熱材料４０は網目の間から落ちにくくなるが、網の上での流動性も低下する。
【００４６】
そこで、本実施形態では、網状シート２４の網目形状が上記のような構造を有していることで、滴下された断熱材料４０は、網目（開口部）の長手方向（長さＬ２の方向）への流れが促進される。これにより、注入ヘッド５１の移動方向に直交する方向（すなわち、冷蔵室扉１１の左右方向）へ断熱材料４０をより拡がらせることができる。その一方で、網目（開口部）の短手方向（長さＬ１の方向）では、網目を密にできるため、液状の断熱材料４０が網目の間から落ちることを抑制する。したがって、液状の断熱材料４０を、網目の長手方向（長さＬ２の方向）へ、より確実に流動させることができる。
【００４７】
このような網目形状を有している網状シート２４において、シートに形成された開口部の開口率は、５０％以上９７％以下とすることが好ましい。これにより、滴下された断熱材料４０を、網状シート２４の上面を通過させて滴下領域の外側へと流動させつつ、その一部を、開口部を介して正面部材２１の表面に落とすことができる。したがって、網状シート２４と正面部材２１の裏面との間に断熱材料４０による断熱層２３を均一に形成することができ、断熱材料４０と正面部材２１の裏面とが離間した状態となることが抑制される。
【００４８】
また、網状シート２４を形成している繊維状体の線径は、０．２ｍｍ以上とすることが好ましく、１．０ｍｍ以上とすることがより好ましい。線径を０．２ｍｍ以上とすることで、網状シート２４にある程度の剛性および重量を持たせることができる。そのため、正面部材２１上に網状シート２４を配置したときに、網状シート２４が位置ずれすることを抑制することができる。また、線径を１．０ｍｍ以上とすることで、液状の断熱材料４０が網の上で流動するための幅を十分に確保することができ、断熱材料４０の網の上での流動性が向上する。
【００４９】
なお、網状シート２４を形成している繊維状体の線径を太くすると、網状シート２４の開口部の開口率が低下する傾向となる。本実施形態では、上述の様に、網目（開口部）の長手方向と短手方向の網目の密度を変えているため、この密度をそれぞれ調整することで、網状シート２４の開口部の開口率を上記の様な所望の比率にすることができる。
【００５０】
なお、網状シート２４は、２枚以上重ねて配置してもよい。このとき、各網状シート２４の網目形状をわずかにずらして重ねることで、滴下直後の断熱材料４０と、正面部材２１の表面との接触面積をより減らす（すなわち、開口率をより小さくする）ことができる。これにより、断熱材料４０の流動性をより向上させることができる。
【００５１】
（まとめ）
以上のように、本実施形態にかかる冷蔵庫１では、冷蔵室扉１１を構成する正面部材２１の裏面に網状シート２４が配置されている。これにより、断熱材料４０を正面部材２１の裏面に滴下したときの断熱材料４０の流動性を向上させることができる。したがって、断熱材料４０がより均一に充填され、空隙の少ない断熱層２３を形成することができる。このような断熱層２３を有していることで、冷蔵室扉１１の表面に凹凸が形成されることが抑制されるため、冷蔵庫１の外観の品質を向上させることができる。
【００５２】
また、正面部材２１をより厚さの薄い鋼板で形成した場合にも、冷蔵室扉１１の前面に凹凸が形成されることが抑制されるため、冷蔵庫１を正面から見たときの美観を向上させることができる。
【００５３】
上述した実施形態では、上下に長い長方形状を有している冷蔵室扉１１を例に挙げて説明したが、左右に長い長方形状を有している断熱性扉にも上述の製造方法を適用することができる。この場合には、断熱性扉の左右方向（正面部材の長手方向）に沿って注入装置５０の注入ヘッド５１を移動させることが好ましい。そして、網状シート２４の長方形状の開口部は、注入ヘッド５１の移動方向の長さＬ１が、該移動方向に直交する方向の長さＬ２よりも小さくなるように、網状シート２４を正面部材上に配置することが好ましい。
【００５４】
また、上述の冷蔵室扉１１の製造方法は、冷蔵室扉１１以外の断熱性扉（例えば、冷凍庫、保温器などの断熱庫の扉）を製造する場合にも用いることができる。
【００５５】
〔第２の実施形態〕
続いて、本発明の第２の実施形態について説明する。第２の実施形態では、正面部材の裏面に配置される網状シートの構造が第１の実施形態とは異なっている。その他の構成については、第１の実施形態と同様の構成が適用できる。そこで、以下では、第１の実施形態とは異なる点を中心に説明する。
【００５６】
図５には、第２の実施形態にかかる冷蔵室扉１１を構成する正面部材２１上に配置される網状シート１２４の構成を示す。図５では、滴下工程における注入ヘッド５１の移動方向を矢印で示している。また、図５では、網状シート１２４の網目形状を拡大して示す。
【００５７】
図５に示すように、網状シート１２４は、正面部材２１の上下方向に対して傾斜した方向に延びる複数の繊維状体で形成されている。網状シート１２４は、菱形の開口を有する格子状の網目形状を有している。ここで、網状シート１２４の網目形状は、注入ヘッド５１の移動方向の方が該移動方向に直交する方向よりも短い菱形状となっている。すなわち、網状シート１２４の菱形状の開口部において、注入ヘッド５１の移動方向の長さＬ１は、該移動方向に直交する方向の長さＬ２よりも小さい。
【００５８】
網状シート１２４の網目形状が上記のような構造を有していることで、滴下された断熱材料４０は、網目（開口部）の長手方向（長さＬ２の方向）への流れが促進される。これにより、注入ヘッド５１の移動方向に直交する方向（すなわち、冷蔵室扉１１の左右方向）へ断熱材料４０をより拡がらせることができる。
【００５９】
図６は、一例の網状シート１２４を部分的に切り取って撮影したものである。図６では、菱形状の網目（開口部）の長手方向を縦方向に配置した状態で示す。図６に示す網状シートは、線径が０．２２ｍｍのポリプロピレン（ＰＰ）製の繊維状体で網目が形成されている。また、網状シートに形成された開口部の開口率は、７５％となっている。このような網状シートを、鋼板にて形成された正面部材上に配置した後に、注入ヘッドを網状シートの網目の短手方向（図５のＬ１方向。図６では左右方向）に移動させながら液状の断熱材料（ポリウレタン）を滴下した。その後、正面部材とドアバックとの間の空間内で断熱材料を発泡させた。その結果、正面部材のコーナー部などでも断熱材料が均一に充填されていることが確認できた。
【００６０】
図７は、第２の実施形態の変形例を示す。図７には、変形例にかかる冷蔵室扉１１を構成する正面部材２１上に配置される網状シート１２４Ａの構成を示す。網状シート１２４Ａは、斜め方向に延びる複数の繊維状体で形成されている。網状シート１２４Ａは、正方形の開口を有する格子状の網目形状を有している。このような網状シート１２４Ａによれば、網目形状を形成している各繊維状体が、正面部材２１の各角部分（コーナー部）の方へ向かっているため、この繊維状体の延伸方向に沿って断熱材料４０を流動させることができる。
【００６１】
〔第３の実施形態〕
続いて、本発明の第３の実施形態について説明する。第３の実施形態では、正面部材の裏面に配置される網状シートの構造が第１の実施形態とは異なっている。その他の構成については、第１の実施形態と同様の構成が適用できる。そこで、以下では、第１の実施形態とは異なる点を中心に説明する。
【００６２】
図８には、第３の実施形態にかかる冷蔵室扉１１を構成する正面部材２１上に配置される網状シート２２４の構成を示す。図８では、滴下工程における注入ヘッド５１の移動方向を矢印で示している。また、図８では、網状シート２２４の網目形状を拡大して示す。
【００６３】
図８に示すように、網状シート２２４は、複数の楕円形状の開口部が縦横に並んだ構造を有している。この網状シート２２４は、例えば、ポリプロピレン（ＰＰ）、ポリエチレン（ＰＥ）、シリコン系樹脂、およびフッ素系樹脂などの樹脂材料で形成されたシート部材に複数個の開口部を形成することによって得られる。すなわち、網状シート２２４は、楕円形状の開口を有する網目形状を有している。ここで、網状シート２２４の網目形状を構成する楕円形の開口部は、注入ヘッド５１の移動方向の径Ｌ１が該移動方向に直交する方向の径Ｌ２よりも短くなるように配置されている。
【００６４】
網状シート２２４の網目形状が上記のような構造を有していることで、滴下された断熱材料４０は、網目（開口部）の長手方向（長さＬ２の方向）への流れが促進される。これにより、注入ヘッド５１の移動方向に直交する方向（すなわち、冷蔵室扉１１の左右方向）へ断熱材料４０をより拡がらせることができる。
【００６５】
〔第４の実施形態〕
続いて、本発明の第４の実施形態について説明する。第４の実施形態では、正面部材の裏面に配置される網状シートの構造が第１の実施形態とは異なっている。その他の構成については、第１の実施形態と同様の構成が適用できる。そこで、以下では、第１の実施形態とは異なる点を中心に説明する。
【００６６】
第４の実施形態では、網状シートが、正面部材２１の角部分に向かって延びる網目形状を有している例について説明する。図９には、第４の実施形態にかかる冷蔵室扉１１を構成する正面部材２１上に配置される網状シート３２４ａから３２４ｄの構成を示す。図９では、滴下工程における注入ヘッド５１の移動方向を矢印で示している。また、図９では、網状シート３２４ａおよび３２４ｂの網目形状を拡大して示す。
【００６７】
本実施形態にかかる冷蔵室扉１１では、正面部材２１の裏面上に、４枚の網状シート３２４ａ・３２４ｂ・３２４ｃ・３２４ｄが配置されている。各網状シート３２４ａ・３２４ｂ・３２４ｃ・３２４ｄは、複数の楕円形状の開口部が縦横に並んだ構造を有している。これらの網状シート３２４ａ・３２４ｂ・３２４ｃ・３２４ｄは、例えば、ポリプロピレン（ＰＰ）、ポリエチレン（ＰＥ）、シリコン系樹脂、およびフッ素系樹脂などの樹脂材料で形成されたシート部材に複数個の開口部を形成することによって得られる。このように、各網状シート３２４ａ・３２４ｂ・３２４ｃ・３２４ｄは、楕円形状の開口を有する網目形状を有している。
【００６８】
そして、網状シート３２４ａは、正面部材２１の中央部分から右上の領域をカバーするように配置されている。網状シート３２４ｂは、正面部材２１の中央部分から左上の領域をカバーするように配置されている。網状シート３２４ｃは、正面部材２１の中央部分から右下の領域をカバーするように配置されている。網状シート３２４ｄは、正面部材２１の中央部分から左下の領域をカバーするように配置されている。
【００６９】
図９に示すように、正面部材２１の右上の領域に配置されている網状シート３２４ａは、正面部材２１の右上の角部分に向かって延びる網目形状を有している。また、正面部材２１の左上の領域に配置されている網状シート３２４ｂは、正面部材２１の左上の角部分に向かって延びる網目形状を有している。
【００７０】
同様に、正面部材２１の右下の領域に配置されている網状シート３２４ｃは、正面部材２１の右下の角部分に向かって延びる網目形状を有している。また、正面部材２１の左下の領域に配置されている網状シート３２４ｄは、正面部材２１の左下の角部分に向かって延びる網目形状を有している。
【００７１】
各網状シート３２４ａ・３２４ｂ・３２４ｃ・３２４ｄの網目形状が上記のような構造を有していることで、滴下された断熱材料４０は、正面部材２１の４つの角部分への流れが促進される。これにより、正面部材２１の各角部分へ断熱材料４０をより拡がらせることができる。
【００７２】
〔第５の実施形態〕
続いて、本発明の第５の実施形態について説明する。第５の実施形態では、正面部材の裏面に配置される網状シートの構造が第１の実施形態とは異なっている。その他の構成については、第１の実施形態と同様の構成が適用できる。そこで、以下では、第１の実施形態とは異なる点を中心に説明する。
【００７３】
第５の実施形態では、網状シートが、注入ヘッド５１から滴下される断熱材料４０の滴下の開始位置およびその外側を含む領域と、滴下の終了位置およびその外側を含む領域とそれぞれ配置されている例について説明する。図１０には、第５の実施形態にかかる冷蔵室扉１１を構成する正面部材２１上に配置される網状シート４２４ａおよび４２４ｂの構成を示す。
【００７４】
図１０では、滴下工程における注入ヘッド５１の移動方向を矢印で示している。また、図１０では、注入ヘッド５１から滴下される断熱材料４０の滴下の開始位置をＡとして示し、滴下の終了位置をＢとして示している。
【００７５】
図１０に示すように、本実施形態にかかる冷蔵室扉１１では、正面部材２１の裏面上に、２枚の網状シート４２４ａおよび４２４ｂが配置されている。網状シート４２４ａは、正面部材２１の上方に配置されている。網状シート４２４ｂは、正面部材２１の下方に配置されている。網状シート４２４ａおよび４２４ｂの網目形状は、上述の第１から第４の実施形態で説明した何れの網目形状であってもよい。
【００７６】
具体的には、網状シート４２４ａは、注入ヘッド５１から滴下される断熱材料４０の滴下の開始位置Ａおよびその上方側を含む領域に配置されている。また、網状シート４２４ｂは、注入ヘッド５１から滴下される断熱材料４０の滴下の終了位置Ｂおよびその下方側を含む領域に配置されている。
【００７７】
網状シート４２４ａが正面部材２１上の上記のような領域に配置されていることで、正面部材２１上に滴下された断熱材料４０は、網状シート４２４ａの配置位置に沿って滴下の開始位置Ａから上方側へ拡張する方向へと誘導される。また、網状シート４２４ｂが正面部材２１上の上記のような領域に配置されていることで、正面部材２１上に滴下された断熱材料４０は、網状シート４２４ａの配置位置に沿って滴下の終了位置Ｂから下方側へ拡張する方向へと誘導される。これにより、滴下後の断熱材料４０が行き渡りにくい正面部材２１の上端部側および下端部側へ断熱材料４０をより確実に誘導させることができる。
【００７８】
なお、上述の各実施形態では、本発明の一例として、冷蔵庫の断熱性扉を例に挙げて説明した。しかし、本発明は、これに限定はされない。本発明にかかる断熱性扉は、例えば、保温庫、冷凍庫などの断熱庫の扉などに適用することができる。
【００７９】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００８０】
１      ：冷蔵庫
１１    ：冷蔵室扉（断熱性扉）
１２    ：冷凍室扉（断熱性扉）
２１    ：正面部材（前面側部材）
２２    ：ドアバック（背面側部材）
２３    ：断熱層（発泡断熱材）
２４    ：網状シート（網目状シート部材）
５０    ：（断熱材料の）注入装置
５１    ：注入ヘッド
１２４  ：網状シート（網目状シート部材）
１２４Ａ：網状シート（網目状シート部材）
２２４  ：網状シート（網目状シート部材）
３２４ａ：網状シート（網目状シート部材）
３２４ｂ：網状シート（網目状シート部材）
３２４ｃ：網状シート（網目状シート部材）
３２４ｄ：網状シート（網目状シート部材）
４２４ａ：網状シート（網目状シート部材）
４２４ｂ：網状シート（網目状シート部材）
【図１】
2020060305.tif 000003
【図２】
2020060305.tif 000004
【図３】
2020060305.tif 000005
【図４】
2020060305.tif 000006
【図５】
2020060305.tif 000007
【図６】
2020060305.tif 000008
【図７】
2020060305.tif 000009
【図８】
2020060305.tif 000010
【図９】
2020060305.tif 000011
【図１０】
2020060305.tif 000012